(57)【特許請求の範囲】
【請求項１】
実弾の弾薬の発射は防止するが、リム・ファイア・プライマの訓練用カートリッジの発射は可能にするように銃を改良する方法であって、該方法は、センタ・ファィア撃針の代わりに、リム・ファイア・プライマ撃針を使用するステップを含むことを特徴とする銃を改良する方法。
【請求項２】
センタ・ファイア撃針を有する銃を選択し、その銃の銃身を、前記センタ・ファイア撃針が、センタ・ファイア・カートリッジではなく、前記リム・ファイア・プライマの訓練用カートリッジに対して衝撃を与えてこれを発射させることができるように銃尾をずらした銃身に取り替えることを特徴とする請求項１に記載の方法。
【請求項３】
前記銃身の銃腔が該銃身の軸線に対して傾斜していることを特徴とする請求項２に記載の方法。
【請求項４】
前記方法は、その銃のセンタ撃針が、該銃の銃身に収容されるカートリッジのセンタ・ファイアに対して整合されていないが、前記訓練用カートリッジのリム・ファイア・プライマのファイアに対して整合されるように、前記銃の銃身を交換するステップを含む、請求項１に記載の方法。
【請求項５】
請求項１から請求項４のいずれか一項に記載の方法によって改良された銃。
【請求項６】
請求項５による改造された銃と、リム・ファイア・プライマを有して前記改良された銃から発射されるように構成される一つ以上の訓練用カートリッジとの組合せ。
【請求項７】
請求項５による前記銃によって発射するように構成されたリム・ファイア・プライマを備える訓練用カートリッジ。
【請求項８】
後端部内にセットされるリム・ファイア・プライマ・カップを特徴とする請求項７に記載の訓練用カートリッジ。
【請求項９】
前記カートリッジは発射時に膨張可能であり、前記カートリッジが膨張して該カートリッジの後面を銃の遊底に対して後方に押圧し、銃の再利用を開始するのに役立つことを特徴とする請求項７または請求項８に記載の訓練用カートリッジ。
【発明の詳細な説明】
【０００１】
本発明は、改良された訓練用弾薬、および訓練用弾丸を発射するように銃を修正する方法に関する。
【０００２】
（発明の背景）
低パワーの訓練用カートリッジが公知であり、このようなカートリッジの例が、ＰＣＴＧＢ９８／００６２０、ＰＣＴ／ＧＢ９９／０２８５９、ＰＣＴ／ＧＢ９９／０２５５６、ＧＢ９８１９９２８．４、および米国特許第５４９２０６３号に開示されている。訓練用カートリッジは、実弾の（「殺害用の」）弾丸よりも発射物に対するエネルギーが少ないことを特徴としている。従って、実弾の弾丸では、銃弾に対して約１０８５Ｊ（８００ｆｔ／ｌｂｓ）のエネルギーがかかり、散弾銃では発射に対して約１３５６Ｊ（１０００ｆｔ／ｌｂｓ）ものエネルギーがかかるのに対して、訓練用カートリッジの場合は、はるかに少ないエネルギーしかかからない。例えば、訓練用カートリッジにより発射物にかかるエネルギーは、一般に約６．８Ｊ（５ｆｔ／ｌｂｓ）未満、より通常は約５．４Ｊ（４ｆｔ／ｌｂｓ）未満である。従って、本明細書中で使用される「訓練用カートリッジ」という語は、文脈が他のものを示していなければ、このような低エネルギーのカートリッジを指す。
【０００３】
前記の訓練用カートリッジは、一般にプライマを含み、従来の量の発射火薬は含まない。従って、武器を再利用することと、銃弾等の発射物を放射することとの両方に十分なエネルギーを確実に有するように、入念に設計する必要がある。多くの訓練用カートリッジ（例えば特許文献ｓｕｐｒａに開示されたカートリッジを参照）は、カートリッジ本体が「ピストンおよびシリンダ」構成を含む、膨張タイプである。このようなカートリッジでは、プライマのエネルギーの一部を使用してピストンおよびシリンダを分離させ（すなわち、カートリッジを膨張させ）、カートリッジの後端部を後方に駆動して武器を再利用し、エネルギーの一部を利用して発射物をカートリッジの前端部から放出する。確実に発射物が一貫した適宜の速度で放出され、発射の度に武器が再利用されるように、カートリッジ内のガス流を入念に制御する必要がある。
【０００４】
現在のすべての（出願人がこれまでに知っている）訓練用弾薬、および大部分の実弾の軍事用弾薬は、センタ・ファイア型である。例外としては、標的射撃で（および時には軍事訓練で）一般に使用される、リム・ファイア・タイプの５．５６ｍｍ（０．２２”）弾丸がある。センタ・ファイア型の実弾カートリッジは、一般に、カートリッジの後端部内にセットされるカップまたは「缶」内に担持されるプライマを有する。しかし、リム・ファイア・タイプ（例えば前記の５．５６ｍｍ（０．２２”）弾丸）の実弾弾丸では、プライマは、カップまたは缶には担持されず、カートリッジ・ケース自体の中空の縁部に保持される。
【０００５】
図１は、実弾の軍事弾薬で一般に使用されるタイプのセンタ・ファイア・カートリッジ用のプライマの、断面立面図である。プライマは、例えばニッケルめっきした真鍮から形成され、適宜の火工品プライマ材料４を含む缶２を備えている。缶はカートリッジの後面（図示せず）の中央の凹部に保持される。アンビル６は、缶２の前部内にセットされ、缶を閉じてプライマを定位置に保持する。アンビルが缶内に挿入されると、アンビルの突出中央部６ａはプライマを大きく圧縮して、非常に衝撃を受けやすい圧縮領域４ａを生成する。衝撃を受けやすい領域４ａは、ほぼ幅Ｉを有し、これはセンタ・ファイア武器の撃針用の衝突領域を示す。従って、センタ・ファイア撃針は衝突領域に衝突し、さらに缶の壁とアンビルとの間のプライマを圧縮することにより、プライマを爆発させる。しかし、リム・ファイヤ武器の撃針は、衝突領域Ｉの外側で缶に衝突するため、プライマを爆発させることがない。
【０００６】
弾丸を一貫して低エネルギーで放出するように構成された訓練用カートリッジは、一般にそれ自体安全であるが、実弾の殺害用カートリッジが不注意で混入したり、低パワーの訓練用カートリッジの代わりに使用した場合に安全性の問題が生じる。前記したように、すべての公知の既存の訓練用カートリッジは、センタ・ファイア・タイプのプライマを使用しているが、これは特定の銃タイプの同等の実弾の殺害用カートリッジで使用されるプライマのタイプと非常に類似しており、しばしば同一のものである。通常銃から発射されるカートリッジ・タイプを発射せず、訓練用カートリッジのみを発射するように銃を修正することより、２つのタイプのカートリッジ間の混乱をなくす試みがなされている。残念なことに、この安全性の特徴は、装填の際に銃に適合する異なる実弾カートリッジ・タイプを使用することにより、または破損した実弾カートリッジを使用する事により、無視されることがある。このような状況では、訓練用カートリッジではなく、実弾のカートリッジを発射させることによって重大な事故および死を招くことになる。
【０００７】
本発明の目的は、実弾の殺害用カートリッジを訓練用カートリッジの代わりに不注意に発射させることを防止することにより、前記の問題を解決することである。
【０００８】
（発明の概要）
本発明は、訓練用カートリッジ中の周辺ファイア・プライマと、銃の撃針がカートリッジに点火する周囲のプライマの周囲（縁部）に当たるようにする銃の改良を利用する。改造を適合しながら任意タイプのセンター・ファイア・カートリッジを銃に装填すると、撃針の衝撃点がセンター・ファイア・プライマの繊細な部分の向こう側にあるので、撃針はセンター・ファイア・プライマに点火することができない。このように、本発明は、標準的なセンター・ファイア式の軍用弾薬が、低速度の訓練用弾薬に代わって不慮に発射されることを防止する。
【０００９】
したがって、一実施形態では、本発明は周辺ファイア・プライマを有する訓練用カートリッジを提供する。
【００１０】
プライマは通例カップまたは「缶」の形状であり、これをカートリッジの後部端の中にセットする。カップは通例、その中にプライマ材料が置かれる空洞の周囲縁を有し、プライマ材料は圧縮された状態にあり、衝撃に対して非常に弱い。このため、プライマ材料は、缶の周囲縁が撃針の衝撃を受けると爆発する恐れがある。この構成は、プライマ材料がカートリッジの後部中にセットされたカップの周囲縁ではなくカートリッジ自体の周囲部に置かれる従来型の実弾リムファイア・カートリッジ（すなわち５．５６ｍｍ（０．２２”）口径）と対照的である。
【００１１】
本発明の訓練用カートリッジは点火時に膨張できることが好ましく、カートリッジが膨張することにより、カートリッジの後部表面が後ろに向かって銃の銃尾ブロックに押し付けられて銃の再回転の開始が促される。
【００１２】
例えば、一実施形態では、発射物（例えば弾丸）をその先端部分の中または上に取り付けることを可能にするように構成された膨張可能な訓練用カートリッジが提供され、この先端部分を貫通するガス経路がカートリッジ内部と発射物との連通を提供する。このカートリッジは、ガス経路から発射物までの推進用ガスの流れを制御するバルブ手段と、点火時にカートリッジ中の推進ガスの圧力によってカートリッジから後方に小火器の銃尾ブロックに向かって推進され、小火器を再回転させる可動部材とを有する。バルブ手段は、発射物がカートリッジから発射された後に、前記ガス経路中の推進ガスの流れを停止させるか、または相当量低減して、それにより可動部材が後方に推進するのを助けるために、閉じるように構成することが好ましい。
【００１３】
この訓練用カートリッジの厳密な性質は重要ではなく、例えば、この訓練用カートリッジは、ＰＣＴ９８／００６２０、ＰＣＴ／ＧＢ９９／０２８５９、およびＧＢ９８１９９２８．４のいずれかに記載される一般的なタイプでよいが、適切に改良したプライマを備える。この訓練用カートリッジの直径は、一般には、実弾の５．６５ｍｍ（０．２２”）弾丸の直径より大きい（通例は約９ｍｍ（０．３７５”））が、この訓練用カートリッジは５．６５ｍｍ（０．２２”）の弾丸または発射物を装填することができ、また通例５．６５ｍｍ（０．２２”）弾丸（ｒｏｕｎｄ）に関連する直径のプライマを備えることができる。
【００１４】
一般に、プライマはカートリッジ中で唯一の火工材料である。つまり、プライマ以外に発射火薬はない。このプライマは、カートリッジが約５．４Ｊ（４ｆｔ／ｌｂｓ）未満、より好ましくは約４．１Ｊ（３ｆｔ／ｌｂｓ）未満、例えば約３．４Ｊ（２．５ｆｔ／ｌｂｓ）未満、最も好ましくは約２．７Ｊ（２ｆｔ／ｌｂｓ）あるいはそれ以下のエネルギーを生むようになっている。
【００１５】
別の態様では、本発明は、銃が実弾を発射することを防止するが、リムファイア・プライマの訓練用カートリッジの点火は可能にするように銃を改良する方法を提供し、この方法は次を含む。（ｉ）センター・ファイア式の撃針をリム・ファイア式の撃針に替える。かつ／または、センタ・ファイアの撃針がカートリッジの中央点火には整合しないが、カートリッジの縁部の点火には整合するように銃の銃身を置換えるが、センタ・ファイアの撃針をリムファイア撃針に置き換えることにより、実弾の５．５６ｍｍ（０．２２”）のカートリッジの点火が可能な銃の改良は除く。
【００１６】
さらに別の態様で、本発明は、銃が実弾を発射できないようにするが、５．５６ｍｍ（０．２２”）口径のカートリッジ以外のリムファイア・プライマの訓練用カートリッジは点火できるように銃を改良する方法を提供する。この方法は、センタ・ファイアの撃針をリム・ファイアの撃針に置き換えることを含む。
【００１７】
別の態様で、本発明は、リムファイア・プライマを有する訓練用カートリッジと、リムファイア・プライマを含んだ訓練用カートリッジを発射できるように改良した銃との組合せを提供する。
【００１８】
別の態様で、本発明は、上記で定義したカートリッジで使用するための周辺ファイア・プライマを提供し、このプライマは、カートリッジの後部中にセットするためのカップを含み、このカップは圧縮されたプライマ材料を入れる空洞の周辺縁部を有する。
【００１９】
別の態様で本発明は、銃が実弾を発射するのを防ぐが、リムファイア・プライマの訓練用カートリッジの点火は可能にするように銃を改良する方法を提供し、この方法は、センタ・ファイア式の撃針を有する銃を選択し、その銃の銃身を銃尾がオフセットされた銃身に置換えて、センタ・ファイアの撃針が、リムファイア・プライマの訓練用カートリッジに強く当たってカートリッジに点火するが、センタ・ファイア・カートリッジにはそれが行われないようにすることを含む。
【００２０】
さらに別の態様で、本発明は、センタ・ファイアの撃針と、銃尾がオフセットされた銃身とを有する銃を提供し、これによりセンタ・ファイアの撃針がリムファイア・プライマ・カートリッジに強く当たり、それに点火するが、センタ・ファイア・プライマのカートリッジにはそれが行われない。
【００２１】
どの改良を選ぶかは銃の性質に左右される。スライド式または可動の銃身を有するピストルやその他の銃の場合は、銃身の改造が、武器を改良する最も簡単な手段を提供することができる。一方、大半のライフルおよびマシン・ガンのように銃身が固定式であり、銃身ブロックがスライド可能である場合は、最も簡単な改造は撃針をリムファイアの撃針に修正または変更することである。
【００２２】
銃身を改造する場合、改造の前に銃のセンタ・ファイアの撃針を調整して、それが銃身の銃腔または銃尾から見て中心にある位置に当たるようにする。つまり、撃針の中心線が銃身の中心線と一致するようにする。本発明による改造後に、撃針の中心線に相対的に銃身の銃腔をオフセットする。これは、センタ・ファイアの撃針を組み込んだ点火メカニズムが、センタ・ファイア・カートリッジの繊細な中心領域には衝撃を与えないが、周辺部に衝撃を与えることを意味する。したがって、銃身の改造により、リムファイアの訓練用カートリッジを発射することが可能になるが、それに対応してセンタ・ファイアの実弾が爆発することは防止される。
【００２３】
銃腔のオフセットのこの他の利点は、銃身の軸に対して銃腔を傾けることができ、それにより銃の使用者がその通常の照準を変更せずに、低速度の発射物の弾道を補正する手段が提供されることである。
【００２４】
銃身よりも撃針を改造する方が適している場合は、撃針の中心線をやはり銃身の銃腔の中心線と合わせることができるが、改造した撃針は通例横方向に延びた先端部分を有し、この横方向に延びた先端部分は、それがリムファイア・プライマの縁に当たるが、センタ・ファイア・プライマの中心には当たらないように作られたリーディング表面を有する。横方向に延びた先端部分は、１面または２面で横方向に延長することができる。
【００２５】
例えば、それを１面で延長する場合、撃針の先端は平坦な鋤状の構造をとることができ、これが銃尾ブロック中に切り抜かれた溝に嵌まる。この平坦な鋤状の構造は、その先端に前方方向を向いた１つまたは２つの（バランスのために２つが好ましい）突起物を有することができ、これがリムファイア・プライマの縁に当たるが、センタ・ファイア・プライマの中心衝撃領域には当たらない。
【００２６】
改造した撃針の先端部分を２面で横方向に延長すると、この部分は例えば円筒形にすることができる。この場合、リーディング表面はそこから前方に突出した１つまたは複数の（好ましくは複数）別個の突起物を有することができ、あるいはリーディング表面に、リムファイア・プライマの衝撃領域には当たるが、センタ・ファイア・プライマの衝撃領域には当たらないように、前方に突出した環状の縁部を提供することができる。
【００２７】
センタ・ファイア・プライマが改造した撃針によって爆発する（例えば撃針とカートリッジ間の粒子状物質または破片によって）可能性をさらに減らすために、突起物の間または突起物内部のリーディング表面の領域を、少なくともセンタ・ファイア・プライマの衝撃領域に重なる範囲にわたって取り除くことができる。
【００２８】
ここで、本発明について、添付の概略的な図面、図１から９に示した特定の実施形態を参照して、非制限的でなく、例示する。
【００２９】
（好ましい実施形態の詳細な説明）
本発明によるカートリッジにおいて使用する周辺ファイア・プライマを図２に示す。これは、中空周辺リム領域１０３を提供するように形成された閉鎖端であるカン１０２を備える。爆発プライマの複合物１０４は、カンに配置され、カンは、スピンされ、それにより、爆発材料を中空周辺リム領域１０３内に押し込む。図２のプライマで、衝撃領域Ｉ’は、形状が環状であり、プライマの周辺リムの周りに広がる。図１および２からわかるように、同じ口径のカートリッジに対して、センタ・ファイア・プライマの衝撃領域Ｉと、あらゆる衝撃が、プライマを爆発させない周辺発射領域の衝撃領域Ｉ’との間には、デッド・ゾーンＳが存在する。図２のプライマを含んでいるカートリッジが、適切に構成され、かつ、位置合わせされたファイアリング・ピンを有する兵器に配置され、兵器が発射されたとき、ファイアリング・ピンは、衝撃領域Ｉ’を撃ち、中空リム領域１０３の２つの壁１０３ａと１０３ｂの間の爆発複合物を圧縮し、衝撃が爆発複合物に分与されて、爆発が起きる。
【００３０】
ここで図３を参照すると、中心ファイアリング・ピン２０２、その銃尾に挿入された訓練用カートリッジ２０４を有する銃２００の従来の構成が示されている。この場合、従来の習慣によれば、カートリッジ２０４は、その端部内にはめ込まれたセンタ・ファイア・プライマを有する。プライマは、図１に示したタイプのものである。ファイアリング・ピン２０２の中心線Ｌ１は、銃のバレルの中心線Ｌ２と一致することに留意されたい。
【００３１】
図４には、銃３００を変更して、銃バレルの中心線からずれている周辺発射ファイアリング・ピン３０２を提供し、したがって、図２に示したタイプの周辺ファイア・プライマ３０６を有する訓練用カートリッジ３０４を発射することができる、構成が示されている。
【００３２】
上記で示したように、センタ・ファイア訓練用カートリッジに関する問題は、時々、訓練用カートリッジと実弾の殺人用弾薬とが混合されることがあることである。この問題を回避するために、本発明は、プライマの周辺リムに対する衝撃によって爆発する訓練用カートリッジを提供し、周辺センタ・プライマの使用を可能にするように特別に変更された銃を使用する。
【００３３】
図５は、センタ・ファイア・プライマを有するカートリッジが内部に挿入された、標準的なセンタ・ファイア・ピストルを示す。この図に示した構成は、図３に対応するが、ピストルのバレルが取り外されている点が異なる。図６は、図５に示した銃を変更したものを示す。図６に示したように、銃は、依然として、通常の銃バレルを有し、センタ・ファイア・カートリッジの発射を可能にするセンタ・ファイア・ファイアリング・ピン４１０を備えている。しかし、センタ・ファイア・カートリッジが発射することを防止するために、銃は、通常の銃バレルを、ボア４１４がずれている銃バレル４１２で置き換えることによって、変更されている。図６からわかるように、ボア４１４は、バレルの軸線１６に対して、角度α傾いている。ボア４１４の中心線も、ファイアリング・ピン４１０の中心線に対して、傾いている。
【００３４】
周辺ファイア・プライマを有する訓練用カートリッジが、銃尾に挿入されている場合、銃バレルとファイアリング・ピンの相対的な幾何形状は、ファイアリング・ピンが、カートリッジを発射することができるようなものである。一方、センタ・ファイア・カートリッジ（例えば、実弾の殺人用カートリッジ）が、銃バレルに挿入されている場合、ファイアリング・ピン４１０は、センタ・ファイア衝撃領域３１８を撃つことができず、したがって、カートリッジは、爆発しない。したがって、本発明の変更により、実弾の殺人用弾薬が、訓練用弾薬と不注意に混合されることを防止するという点で、安全性が著しく向上する。
【００３５】
図６に示した構成の他の利点は、訓練用弾薬を、より正確に使用することを可能にすることができることである。訓練用弾薬に関する問題の１つは、低速が、銃弾が標的に到達する前に、しばしば進路をそれて落ち、したがって、ユーザが、標的より上をねらうことによって、これを補償する傾向があることを意味することである。したがって、低速の弾薬を使用して標的を撃つことは、望ましいというより現実的でない。図６に示した銃バレルの構成で、銃のユーザは、通常の方式で、視界を標的に定めることができ、バレルの角度ではなく、ボアの角度が、発射物が標的に到達することを可能にするように、必要な補正を提供する。したがって、訓練用弾薬の射程は、通常の実弾の殺人用弾薬の射程にはるかにより近い。
【００３６】
図６に示した変更は、ピストルに特に適しているが、その理由は、多くの場合、ピストルのバレルをかなり簡単に取り外すことができるからである。しかし、ライフルのバレルは、通常固定されており、したがって、図６に示したタイプのバレルの変更は、銃に対するいくらかより複雑な変更を含み、実用的な提案ではない。
【００３７】
したがって、ライフルと機関銃、および、固定されたスライドしないバレルを有する他の小火器では、ファイアリング・ピンを変更することはより簡単であり、これを図７と図８に示す。
【００３８】
図７は、センタ・ファイアリング・ピンを装備し、かつ、銃尾に挿入されたセンタ・ファイア訓練用弾丸を有する従来のライフルの部分図を示す。図８は、同じライフルであるが、ファイアリング・ピンが変更されているものを示す。したがって、ファイアリング・ピンは、もはや、ピンの形状ではなく、代わりに、スペード様の形状になるように、横方向に延びる前縁を有する。前縁の前表面は、どちらかの縁に、前方を向いた突出部５１２を有し、突出部は、カートリッジの周辺ファイア・プライマ５１３の衝撃領域５１４と位置合わせされている。前縁の中心部分５１６は、凹んでおり、凹みの幅は、センタ・ファイア・プライマ３１８の衝撃領域の幅と少なくとも同程度である。使用時に、兵器が発射されたとき、変更したファイアリング・ピンの前縁の縁の上の突出部５１２は、周辺ファイア・プライマの鋭敏な衝撃領域に衝撃を与え、プライマを爆発させる。しかし、センタ・ファイア・プライマを有するカートリッジ（例えば、実弾の殺人用の一斉射撃に要する弾薬）が、不注意に銃に挿入された場合、これは爆発しない。図８に示した変更したファイアリング・ピンの構成の安全性は、センタ・ファイア・プライマが、ファイアリング・ピンとカートリッジの間に残骸粒子が存在する結果として偶然に発射することがないことを保証する、凹んだ中心領域５１６によって、さらに向上される。
【００３９】
図８の変更したファイアリング・ピンは、例えば、既存のファイアリング・ピンを短縮する、その端部のスレッドを切断する、および、スレッドした端部を適切なプロファイルの端部品に固定することによって、はめ込むことができる。ファイアリング・ピンが通常スライドする環状チャネルまたは開口は、端部品のスペード様の形状を収容するスロットを形成するように、機械加工される。
【００４０】
図９は、図８の変更した銃において発射することができる爆発ブランク・カートリッジを示す。ブランク・カートリッジは、ノーズ６０４において閉鎖され、かつ、爆発材料６０６を含んでいるケーシング６０２を備える。ブランク・カートリッジの後縁は、従来の方式で、使用済みカートリッジを銃尾から抜き取ることを可能にするフランジ６０８を有する。したがって、今のところ、ブランク・カートリッジは、従来の構成である。しかし、このカートリッジは、カートリッジの後の中心内にセットされたプライマ６１０が、周辺ファイア・プライマであるという点が、従来のブランク・カートリッジとは異なる。プライマ６１０は、図２に示した形態、またはそれを適切に変更したものとすることができ、圧縮されたプライマの材料を含んでいる中空周辺リム６１４を有するカップまたはカン６１２を備える。使用時には、銃のオフ・センタ・ファイアリング・ピン６１６は、周辺リム６１４を撃ち、それにより、プライマの材料を爆発させ、これが、爆発材料６０６を爆発させる。プライマと爆発材料の爆発によって生じた膨張する気体は、実際的な爆発を与えるように、従来の方式で、ノーズ６０４を通って爆発する。
【００４１】
上記の例は、単に、本発明を実施することができるいくつかの方式を示し、本発の基盤となっている原理から逸脱せずに、添付の図面に示した構成に対して、多くの変更と修正を行うことができることが、容易に理解されるであろう。すべてのそのような変更と修正は、本出願に包含されることを意図する。
【図面の簡単な説明】
【図１】  センタ・ファイア・プライマを通る側面断面図である。
【図２】  リムファイア・プライマを通る側面断面図である。
【図３】  センタ・ファイア・ファイアリング・ピンを通る側面断面図である。
【図４】  リムファイア・ファイアリング・ピンではめ込まれた銃におけるリムファイア・プライマの従来の構成の側面断面図である。
【図５】  センタ・ファイア・プライマ・カートリッジを含んでいるバレルを有する標準的なセンタ・ファイア・ピストルの概略的な部分図である。
【図６】  図５のセンタ・ファイア銃であるが、バレルが、変更したバレルによって置き換えられている、概略図である。
【図７】  センタ・ファイア・ファイアリング・ピンではめ込まれ、かつ、センタ・ファイア・プライマ・カートリッジを含んでいる、標準的なライフルの図である。
【図８】  図７のライフルであるが、変更したファイアリング・ピンを有する図である。
【図９】  周辺ファイア・プライマを有する爆発ブランク・カートリッジの図である。
【図１】
0004686095.tif 000002
【図２】
0004686095.tif 000003
【図３】
0004686095.tif 000004
【図４】
0004686095.tif 000005
【図５】
0004686095.tif 000006
【図６】
0004686095.tif 000007
【図７】
0004686095.tif 000008
【図８】
0004686095.tif 000009
【図９】
0004686095.tif 000010